(57)【要約】      （修正有）【課題】取り付け全体がより便利で、マザーボードへのほこりの蓄積を避けることができ、かつより良い接地の効果を奏し、マザーボードの寿命を延ばすことができる入出力ポートカバーモジュールを提供する。【解決手段】マザーボード及び入出力ポートに組み付けるための入出力ポートカバーモジュールであって、カバー１０と、ヒートシンク２０と、を含む。カバーは、開口部１１と組み付け部１３とを含み、開口部が各々入出力ポートに対応し、組み付け部がカバーの上縁に位置する。ヒートシンクは、ベース部２１と本体２３と延伸部２５と接続部２７とを含み、本体の上端及び下端が各々ベース部及び組み付け部に連結される。ベース部は、マザーボード５００に固定するための複数の固定部を含み、接続部と組み付け部が組み付けられた後、カバーが接続部に沿って特定の角度で回転でき、事前にマザーボードに組み付けることができる。【選択図】図１
0003227560.tif 000002
【実用新案登録請求の範囲】
【請求項１】
マザーボード及び入出力ポートに組み付けるために用いられる入出力ポートカバーモジュールであって、
各々前記入出力ポートに対応する複数の開口部と、カバーの上縁に位置する組み付け部と、を含むカバーと、
ベース部と、本体と、延伸部と、接続部と、を含み、前記本体の上端及び下端は、各々前記延伸部及び前記ベース部に連結され、前記ベース部が前記マザーボードに固定させるための複数の固定部を含み、前記延伸部が前記本体の上端から前方に延び、前記接続部が前記延伸部から延びて前記組み付け部と組み付けられ、前記接続部と前記組み付け部が組み付けた後、前記カバーが前記接続部に沿って特定の角度で枢動できるヒートシンクと、を含む、
入出力ポートカバーモジュール。
【請求項２】
前記組み付け部は、ピンと、第１受け金具と、第２受け金具と、締付具と、を含み、前記接続部が係止溝を含み、前記第１受け金具及び前記第２受け金具が前記カバーから延出され、前記上縁の両側に位置し、前記ピンが前記第１受け金具に組み付けられて前記第１受け金具に突出し、前記係止溝の一側が前記ピンに係着され、前記締付具が前記第２受け金具の外部から前記係止溝及び前記第２受け金具内に挿入して締め付けて結合される、請求項１に記載の入出力ポートカバーモジュール。
【請求項３】
前記組み付け部は、前記係止溝の中央領域に係合させる係着部材も含む、請求項２に記載の入出力ポートカバーモジュール。
【請求項４】
前記組み付け部は、２つの挿設部材を含み、前記２つの挿設部材が前記上縁の両側に位置し、前記接続部が係止溝と、バネ棒と、を含み、前記バネ棒が前記係止溝内に取り付けられ、前記バネ棒の両端が前記係止溝の両側に突出し、各々前記２つの挿設部材内に挿設される、請求項１に記載の入出力ポートカバーモジュール。
【請求項５】
前記組み付け部は、２つの貫設部材と、ピンと、を含み、前記２つの貫設部材が前記上縁の両側に位置し、前記ピンが前記２つの貫設部材内に貫設され、前記接続部が係止溝を含み、前記係止溝がピンに係着される、請求項１に記載の入出力ポートカバーモジュール。
【請求項６】
前記組み付け部は、前記カバーにほぼ垂直な方向から延出し、かつ前記組み付け部が係止溝を含み、前記接続部がピンと、第１受け金具と、第２受け金具と、締付具と、を含み、前記第１受け金具及び前記第２受け金具が前記延伸部の両側から延出し、前記ピンが前記第１受け金具に組み付けられて前記第１受け金具に突出し、前記係止溝の一側が前記ピンに係着され、前記締付具が前記第２受け金具の外部から前記係止溝及び前記第２受け金具内に挿入して締め付けて結合される、請求項１に記載の入出力ポートカバーモジュール。
【請求項７】
前記接続部は、２つの挿設部材を含み、前記組み付け部が係止溝と、バネ棒と、を含み、前記２つの挿設部材が前記延伸部の両側から延出し、前記バネ棒が係止溝内に取り付けられ、前記バネ棒の両端が前記係止溝の両側に突出し、各々前記２つの挿設部材内に挿設される、請求項１に記載の入出力ポートカバーモジュール。
【請求項８】
前記接続部は、２つの貫設部材と、ピンと、を含み、前記２つの貫設部材が前記延伸部の両側から延出し、前記ピンが前記２つの貫設部材内に貫設され、前記組み付け部が係止溝を含み、前記係止溝が前記ピンに係着される、請求項１に記載の入出力ポートカバーモジュール。
【請求項９】
前記固定部は、ネジ穴であり、ネジが前記マザーボード上の穴部を通して前記ネジ穴に締め付けられることによって、前記ヒートシンクを前記マザーボードに締め付ける、請求項１に記載の入出力ポートカバーモジュール。
【請求項１０】
前記カバーは、複数の固着部をさらに含み、前記固着部が前記組み付け部に対して前記カバーの下縁に位置し、前記カバーにほぼ垂直な方向から延出する、請求項１に記載の入出力ポートカバーモジュール。
【請求項１１】
各前記固着部は、スルーホールを含み、ネジが前記スルーホール及び前記マザーボード上の穴部に貫設されることによって、前記カバーを前記マザーボードに固定させる、請求項１０に記載の入出力ポートカバーモジュール。
【考案の詳細な説明】
【技術分野】
【０００１】
本考案は、コンピュータ分野に関し、特に、入出力ポートカバーモジュールに関する。
【背景技術】
【０００２】
従来技術では、コンピュータを組み立てる時、まず入出力ポートカバーをＰＣケースに組み付けてからマザーボードをＰＣケース内に取り付けていた。しかしこのような組み立て方法では、取り付け角度が制限されたり、取り付け時に容易に衝突するため、ユーザーが操作を容易にするため、入出力ポートカバーを取り付けていない場合がある。
【０００３】
しかし、入出力ポートカバーを取り付けない場合、マザーボードにほこりが溜まりやすくなり、コンポーネントの放熱と使用効率に影響を及ぼし、マザーボード上のコンポーネントのパフォーマンスに直接影響を与えていた。さらに、全体的な接地効果にも影響を及ぼし、全体的なコンピュータのパフォーマンスに悪影響を及ぼし、コンピュータの寿命を短くする可能性もあった。
【考案の概要】
【考案が解決しようとする課題】
【０００４】
本考案は、かかる従来の問題点に鑑みてなされたもので、入出力ポートカバーモジュールを提供することを目的とする。
【課題を解決するための手段】
【０００５】
上記目的を達成するため本考案は、入出力ポートカバーモジュールとして提案する。入出力ポートカバーモジュールは、マザーボード及び入出力ポートに組み付けるために用いられる。入出力ポートカバーモジュールは、カバーと、ヒートシンクと、を含む。カバーは、開口部と、組み付け部と、を含み、開口部が各々入出力ポートに対応し、組み付け部がカバーの上縁に位置する。ヒートシンクは、ベース部と、本体と、延伸部と、接続部と、を含む。本体の上端及び下端は、各々延伸部及びベース部に連結され、ベース部がマザーボードに固定させるための複数の固定部を含み、延伸部が本体の上端から前方に延び、接続部が延伸部から延びて組み付け部と組み付けられ、接続部と組み付け部が組み付けた後、カバーが接続部に沿って特定の角度で枢動できる。
【０００６】
幾つかの実施例において、組み付け部は、ピンと、第１受け金具と、第２受け金具と、締付具と、を含む。接続部は、係止溝を含み、第１受け金具及び第２受け金具がカバーから延出され、上縁の両側に位置し、ピンが第１受け金具に組み付けられて第１受け金具に突出し、係止溝の一側がピンに係着され、締付具が第２受け金具の外部から係止溝及び第２受け金具内に挿入して締め付けて結合される。
【０００７】
さらに、幾つかの実施例において、組み付け部は、係止溝の中央領域に係合させる係着部材も含む。
【０００８】
幾つかの実施例において、組み付け部は、２つの挿設部材を含み、２つの挿設部材が上縁の両側に位置する。接続部は、係止溝と、バネ棒と、を含む。バネ棒は、係止溝内に取り付けられ、バネ棒の両端が係止溝の両側に突出し、各々２つの挿設部材内に挿設される。
【０００９】
幾つかの実施例において、組み付け部は、２つの貫設部材と、ピンと、を含み、２つの貫設部材が上縁の両側に位置し、ピンが２つの貫設部材内に貫設され、接続部が係止溝を含み、係止溝がピンに係着される。
【００１０】
幾つかの実施例において、組み付け部は、カバーにほぼ垂直な方向から延出し、かつ組み付け部が係止溝を含み、接続部がピンと、第１受け金具と、第２受け金具と、締付具と、を含み、第１受け金具及び第２受け金具が延伸部の両側から延出する。ピンは、第１受け金具に組み付けられて第１受け金具に突出し、係止溝の一側がピンに係着され、締付具が第２受け金具の外部から係止溝及び第２受け金具内に挿入して締め付けて結合される。
【００１１】
幾つかの実施例において、接続部は、２つの挿設部材を含み、組み付け部が係止溝と、バネ棒と、を含み、２つの挿設部材が延伸部の両側から延出し、バネ棒が係止溝内に取り付けられ、バネ棒の両端が係止溝の両側に突出し、各々２つの挿設部材内に挿設される。
【００１２】
幾つかの実施例において、接続部は、２つの貫設部材と、ピンと、を含み、２つの貫設部材が延伸部の両側から延出し、ピンが２つの貫設部材内に貫設され、組み付け部が係止溝を含み、係止溝がピンに係着される。
【００１３】
幾つかの実施例において、固定部は、少なくとも１個のネジ穴であり、ネジがマザーボード上の穴部を通してネジ穴に締め付けられることによって、ヒートシンクをマザーボードに締め付ける。
【００１４】
幾つかの実施例において、前記カバーは、複数の固着部をさらに含み、固着部が組み付け部に対してカバーの下縁に位置し、カバーにほぼ垂直な方向から延出する。
【００１５】
より詳しくは、幾つかの実施例において、各固着部は、スルーホールを含み、ネジがスルーホール及びマザーボード上の穴部に貫設されることによって、カバーをマザーボードに固定させる。
【考案の効果】
【００１６】
前記実施例で説明したように、本考案の入出力ポートカバーモジュールは、組み付け部と接続部を通じて、カバー及びヒートシンクを組み付け、マザーボードをケースに取付ける前に、カバー及びヒートシンクをマザーボードに取り付けることができることで、全体的な設置をより便利にし、マザーボードへのほこりの蓄積を避けることができると共に、良好な接地効果を奏し、マザーボードの寿命を延ばすことができる。
【図面の簡単な説明】
【００１７】
【図１】入出力ポートカバーモジュールの実施例１の立体分解図である。
【図２】入出力ポートカバーモジュールの実施例１の組立図である。
【図３】入出力ポートカバーモジュールの実施例２の立体分解図である。
【図４】入出力ポートカバーモジュールの実施例３の立体分解図である。
【図５】入出力ポートカバーモジュールの実施例４の立体分解図である。
【図６】入出力ポートカバーモジュールの実施例５の立体分解図である。
【図７】入出力ポートカバーモジュールの実施例６の立体分解図である。
【考案を実施するための形態】
【００１８】
以下、本考案の入出力ポートカバーモジュールについて詳細に説明する。
【実施例１】
【００１９】
図１は、入出力ポートカバーモジュールの実施例１の立体分解図であり、図２は入出力ポートカバーモジュールの実施例１の組立図である。図１及び図２に示すように、入出力ポートカバーモジュール１は、マザーボード５００及び入出力ポート６００に組み付けるために用いられる。入出力ポートカバーモジュール１は、カバー１０と、ヒートシンク２０と、を含む。
カバー１０は、複数の開口部１１と、組み付け部１３と、を含み、開口部１１は係合のため、各々入出力ポート６００に対応する。組み付け部１３は、カバー１０の上縁に位置する。
ヒートシンク２０は、ベース部２１と、本体２３と、延伸部２５と、接続部２７と、を含み、本体２３の上端及び下端が各々延伸部２５及びベース部２１に連結される。ベース部２１は、マザーボード５００に固定させるための複数の固定部２１１を含む。延伸部２５は、本体２３の上端から前方に延び、接続部２７が延伸部２５から延びて組み付け部１３と組み付けられ、接続部２７と組み付け部１３が組み付けた後、カバー１０が接続部２７に沿って特定の角度で枢動できる。
【００２０】
より詳しくは、図１に示すように、実施例１において、組み付け部１３は、ピン１３１と、第１受け金具１３２と、第２受け金具１３３と、締付具１３４と、を含む。接続部２７は、係止溝２７１を含み、第１受け金具１３２及び第２受け金具１３３がカバー１０から延出され、カバー１０の上縁の両側に位置し、ピン１３１が第１受け金具１３２に組み付けられて第１受け金具１３２に突出し、係止溝２７１の一側がピン１３１に係着され、締付具１３４が第２受け金具１３３の外部から係止溝２７１及び第２受け金具１３３内に挿入してカバー１０及びヒートシンク２０を締め付けて結合する。カバー１０及びヒートシンク２０を結合した後、ピン１３１は枢軸として、カバー１０がヒートシンク２０に接触するまでカバー１０を接続部２７に沿って枢動させることができる。
【００２１】
組み付け部１３は、係着部材１３５をさらに含み、係着部材１３５が係止溝２７１の中央領域に係合させることで、組み付け部１３と接続部２７の結合をより安定させる。
【００２２】
また固定部２１１は、ネジ穴であってもよく、少なくとも１個のネジ６５０がマザーボード５００の穴部５５０を通してネジ穴に締め付けられることによって、ヒートシンク２０をマザーボード５００に締め付ける。ただし、この固定方法は一例であり、これに限定されるものではない。ヒートシンク２０をマザーボード５００に安定して組み付けることによって、カバー１０をマザーボード５００に接続する。先にマザーボード５００をケース（図示せず）の中に取付けてからカバー１０を回転して入出力ポート６００に係着されることができる。これにより、組み立てる時ケースの角度が制限されず、ユーザーにとって組み立てがより便利になるため、ユーザーが不便さによりカバー１０を取り付けず、ほこりが溜まってマザーボード５００の放熱及びコンポーネントの効率が低下するのを防ぐことができ、同時にヒートシンク２０、カバー１０がケースと接続できることにより、接地効果をさらに向上し、電流サージによって引き起こされるマザーボード５００上のコンポーネントへの損傷も避けることができる。
【００２３】
再度図１を参照する。幾つかの実施例において、カバー１０は、複数の固着部１５をさらに含み、固着部１５が組み付け部１３に対してカバー１０の下縁に位置し、カバー１０にほぼ垂直な方向から延出される。固着部１５は、必要に応じて垂直高さを調整でき、ケース（図示せず）またはマザーボード５００と係着するために用いられる。
より詳しくは、図１に示すように、幾つかの実施例において、各固着部１５は、スルーホールを含み、組み立ての最後に、ネジ６５０がスルーホール及びマザーボード５００の穴部５５０を通すことで、カバー１０をマザーボード５００に締め付けることができる。ただし、これは一例であって、これに限定されるものではなく、例えば固着部１５全体の水平高さを調整することにより、固着部１５を介してカバー１０をケースに締め付けてもよい。
【実施例２】
【００２４】
図３は、入出力ポートカバーモジュールの実施例２の立体分解図である。図１と図３を同時に参照する。実施例２と実施例１との相違点は、組み付け部１３および接続部２７の設計である。ここでマザーボード５００及び入出力ポート６００は省略し、同じ構成要素についてはこれ以上説明しない。
図３に示すように、実施例２の組み付け部１３は、２つの挿設部材１４１を含み、２つの挿設部材１４１がカバー１０上縁の両側に位置する。接続部２７は、係止溝２７１と、バネ棒２７３と、を含む。バネ棒２７３は、係止溝２７１内に取り付けられ、バネ棒２７３の両端が係止溝２７１の両側に突出し、各々２つの挿設部材１４１内に挿設される。バネ棒２７３の両端は、圧縮により引き込まれて挿設部材１４１内に取付けられることができる。この時、バネ棒２７３は、取り付けた後、カバー１０が枢動する枢軸とすることもできる。
【実施例３】
【００２５】
図４は、入出力ポートカバーモジュールの実施例３の立体分解図である。図１、図３、及び図４を同時に参照する。実施例３と実施例１、実施例２との相違点は組み付け部１３及び接続部２７の設計であり、その他の部分はこれ以上説明しない。
図４に示すように、実施例３の組み付け部１３は、２つの貫設部材１３６と、ピン１３７と、を含み、２つの貫設部材１３６がカバー１０の上縁の両側に位置し、ここでピン１３７が実施例１のピン１３１よりも長く、２つの貫設部材１３６内に貫設され、接続部２７は係止溝２７１を含み、係止溝２７１がピン１３７に係着される。
【実施例４】
【００２６】
図５は、入出力ポートカバーモジュールの実施例４の立体分解図である。図１乃至図５を同時に参照する。実施例４と実施例１〜実施例３との相違点は、組み付け部１３及び接続部２７の設計であり、その他の部分はこれ以上説明しない。
図４に示すように、組み付け部１３はカバー１０にほぼ垂直な方向から延出され、かつ組み付け部１３が係止溝１６１を含み、接続部２７がピン２８１と、第１受け金具２８２と、第２受け金具２８３と、締付具２８４とを含み、第１受け金具２８２及び第２受け金具２８３が延伸部２５の両側から延出する。ピン２８１は、第１受け金具２８２に組み付けられると共に第１受け金具２８２に突出し、係止溝１６１の一側がピン２８１に係着され、締付具２８４が第２受け金具２８３の外部から係止溝１６１及び第２受け金具２８３内に挿入して締め付けて結合される。
【実施例５】
【００２７】
図６は、入出力ポートカバーモジュールの実施例５の立体分解図である。図１乃至図６を同時に参照する。実施例５と実施例１〜実施例４との相違点は組み付け部１３および接続部２７の設計であり、その他の部分はこれ以上説明しない。
接続部２７は、２つの挿設部材２８５を含み、２つの挿設部材２８５が延伸部２５の両側から延出する。組み付け部１３は、係止溝１６１と、バネ棒１６３と、を含み、バネ棒１６３が係止溝１６１の中に取り付けられ、バネ棒１６３の両端が係止溝１６１の両側に突出すると共に各々２つの挿設部材２８５内に挿設される。
【実施例６】
【００２８】
図７は、入出力ポートカバーモジュールの実施例６の立体分解図である。図１乃至図７を同時に参照する。実施例６と実施例１〜実施例５との相違点は組み付け部１３および接続部２７の設計であり、その他の部分はこれ以上説明しない。
接続部２７は、２つの貫設部材２８７と、ピン２８８と、を含み、２つの貫設部材２８７が延伸部２５の両側から延出し、ピン２８８が実施例１のピン１３１、実施例４のピン２８１よりも長い。ピン２８８は、２つの貫設部材２８７内に貫設され、組み付け部１３が係止溝１６１を含み、係止溝１６１がピン２８８に係着される。言い換えると、実施例４〜実施例６の組み付け部１３及び接続部２７は、実施例１〜実施例３に対応し、オス部材とメス部材を上下逆に配置することができる。
【００２９】
以上をまとめると、本考案の入出力ポートカバーモジュールは、組み付け部１３及び接続部２７を介して、カバー１０とヒートシンク２０とを直接組み付けて一体化し、マザーボード５００をケースに取り付ける前に、カバー１０及びヒートシンク２０を先にマザーボード５００に組み付けることで、取り付け全体がより便利になり、ユーザーが取り付けの不便さによりカバー１０の取り付けを怠ることで、マザーボード５００にほこりが溜まっている問題を引き起こさないように防ぐことができる。さらに、この組み立てを介してより良い放熱及び接地の効果を奏し、マザーボード５００及びコンピュータ全体の寿命を延ばすことができる。
【００３０】
本考案の技術的内容は、好ましい実施例で上記の通り開示されたが、これらの実施例により本考案の保護範囲が限定されるべきものではなく、当業者が本考案の精神から離れることなく為した種々の変更及び改変は、当然に本考案の範囲に含まれる。よって本考案の保護範囲は、本明細書に添付する実用新案登録請求の範囲で定義しているものを基準とする。
【符号の説明】
【００３１】
１０  カバー
１  入出力ポートカバーモジュール
１１  開口部
１３  組み付け部
１３１  ピン
１３２  第１受け金具
１３３  第２受け金具
１３４  締付具
１３５  係着部材
１３６  貫設部材
１３７  ピン
１４１  挿設部材
１５  固着部
１６１  係止溝
１６３  バネ棒
２０  ヒートシンク
２１  ベース部
２１１  固定部
２３  本体
２５  延伸部
２７  接続部
２７１  係止溝
２７３  バネ棒
２８１  ピン
２８２  第１受け金具
２８３  第２受け金具
２８４  締付具
２８５  挿設部材
２８７  貫設部材
２８８  ピン
５００  マザーボード
５５０  穴部
６００  入出力ポート
６５０  ネジ
【図１】
0003227560.tif 000003
【図２】
0003227560.tif 000004
【図３】
0003227560.tif 000005
【図４】
0003227560.tif 000006
【図５】
0003227560.tif 000007
【図６】
0003227560.tif 000008
【図７】
0003227560.tif 000009